(57)【要約】【課題】従来の一本脚のヘッドレスト構造としては、一本の装着フォークと、フォークに設けた平板状のプレートと、フォーク及びプレートに装着されたヘッドカバーとで構成されている。発明は、確かに一本脚であり、結果的に、従来の要望を一部において充足する。しかし、単純な一本脚機構であるので、衝撃で回転する虞がある。また強度的に十分とは考えられず、改良の余地がある。【構成】シートバックのフレームに固定した単独形式になった扁平筒状のホルダー手段と、ホルダー手段に設けたサポートと、サポートに設けたヘッドレストステーと、ヘッドレストステーの位置決定及び固定状態を確保するストッパーとで構成される一本脚形式のヘッドレスト構造で、このホルダー手段の扁平形態によりヘッドレストサポートの一本脚機構と、また単独形式になったホルダー手段の扁平形態によりヘッドレストサポートの回転防止とを可能とした。従って、後方及び／又は前方の容易な確認を確保できる。【選択図】    図４
2004261325.tif 000002
【特許請求の範囲】
【請求項１】
シートバックのフレームに固定した単独形式になった扁平筒状のホルダー手段と、このホルダー手段に設けたサポートと、このサポートに設けたヘッドレストステーと、このヘッドレストステーの位置決定及び固定状態を確保する前記サポートに設けたストッパーとで構成される一本脚形式のヘッドレスト構造であって、
この単独形式になったホルダー手段の扁平形態により当該ヘッドレストサポートの一本脚機構を可能とし、またこの単独形式になったホルダー手段の扁平形態により当該ヘッ  ドレストサポートの回転防止を可能としたことを特徴とする一本脚形式のヘッドレスト構造。
【請求項２】
シートバックのフレームに固定した単独形式になった扁平筒状のホルダー手段と、このホルダー手段に設けたサポートと、このサポートに設けたヘッドレストステーと、このヘッドレストステーの位置決定及び固定状態を確保する前記サポートに設けたストッパーと、このストッパーを操作する前記シートバックのヘッドレスト内に貫設した操作杆と、前記ヘッドレストステーの抜け防止を図るシートの上面に設けた抜け防止用ストッパーとで構成される一本脚形式のヘッドレスト構造であって、
この単独形式になったホルダー手段の扁平形態により当該ヘッドレストサポートの一本脚機構を可能とし、またこの単独形式になったホルダー手段の扁平形態により当該ヘッ  ドレストサポートの回転防止を可能としたことを特徴とする一本脚形式のヘッドレスト構造。
【請求項３】
請求項１又は請求項２に記載の単独形式になった扁平筒状のホルダー手段は、プレス成形品であり、平板本体の両端をリング形状に折り曲げて筒部を形成し、この筒部の間に平板部を形成し、前記筒部にヘッドレストステー挿入用のサポートを、それぞれ挿入する構成とした一本脚形式のヘッドレスト構造。
【請求項４】
請求項１又は請求項２に記載の単独形式になった扁平筒状のホルダー手段は、シートの上方に突出する構成とし、このホルダー手段に設けたストッパーを進退自在に設け、またこのストッパーをシートの上面に添接するように設ける構成とした一本脚形式のヘッドレスト構造。
【請求項５】
請求項３に記載の単独形式になった扁平筒状のホルダー手段は、プレス成形品であり、平板本体の両端をリング形状に折り曲げて筒部を形成し、この筒部の間に平板部を形成し、前記筒部にヘッドレストステー挿入用のサポートを、それぞれ挿入する構成であって、
この平板部に設けた孔に、筒部の挿入端部を挿入し、この挿入箇所をプレス加工でコーキングする構成とした一本脚形式のヘッドレスト構造。
【請求項６】
請求項３に記載の単独形式になった扁平筒状のホルダー手段は、プレス成形品であり、平板本体の両端をリング形状に折り曲げて筒部を形成し、この筒部の間に平板部を形成し、前記筒部にヘッドレストステー挿入用のサポートを、それぞれ挿入する構成であって、
この平板部に補強用の打出し部を設ける構成とした一本脚形式のヘッドレスト構造。
【発明の詳細な説明】
【０００１】
【発明の属する技術分野】
この発明は、車輌の一本脚形式のヘッドレスト構造に関する。
【０００２】
【従来の技術】
従来のヘッドレスト構造は、本出願人が提案する特開平１１−１９８７０３号のヘッドレストサポートがある。その概要は、高さ調整溝を形成したヘッドレストステーを保持する筒部と、同高さ調整溝に対して係合及び退避可能なロック片とを備え、シートバックの上方にヘッドレストを支持する基本構成に、ロック片と対峙するように設けられたロック爪部を設け、このロック爪部に樹脂バネを係止する構成であり、組立ての容易なヘッドレストサポートの提供である。そして、このヘットレストサポートは、二本一組として使用する構造である。
【０００３】
しかし、昨今、後方及び／又は前方の容易な確認、又は安全な走行、また斬新なヘッドレストサポートの要望、等があり、例えば、一本脚のヘッドレストサポートが要請される状況となった。この種の一本脚のヘッドレスト構造としては、特表２００１−５００３９６の座席、特に自動車の座席用のヘッドレストアセンブリがある。この発明は、一本の装着フォークと、このフォークに設けた平板状のプレートと、このフォーク及びプレートに装着されたヘッドカバーとで構成されている。この発明は、確かに一本脚であり、結果的に、従来の要望を一部において充足する。しかし、単純な一本脚機構であるので、衝撃で回転する虞がある。また強度的に十分とは考えられず、改良の余地がある。
【０００４】
【発明が解決しようとする課題】
文献の発明は、一本の装着フォークと平板状のプレートとで構成されており、従来の二本脚構造とは、部品点数の減少化、低コスト化、簡略化等に寄与できる。しかし、この文献の構造では、前述の如く、衝撃で回転する虞があること、強度的に十分とは考えられないこと、等の課題があり、改良の余地がある。
【０００５】
【課題を解決するための手段】
請求項１の発明は、後方及び／又は前方の容易な確認を確保すること、又は安全な走行、また斬新なヘッドレストサポートの要望、等を達成できるヘッドレスト構造の提供を意図する。また衝撃で回転する虞がなく、確実な装着と、強度的に十分な構成のヘッドレスト構造の提供とを意図する。
【０００６】
請求項１は、シートバックのフレームに固定した単独形式（ヘッドレストのステー「ヘッドレストステー」が一本となった形式）になった扁平筒状（平面視した形状であり、略扁平筒状をいう）のホルダー手段と、このホルダー手段に設けたサポートと、このサポートに設けたヘッドレストステーと、このヘッドレストステーの位置決定及び固定状態を確保する前記サポートに設けたストッパーとで構成される一本脚形式のヘッドレスト構造であって、
この単独形式になったホルダー手段の扁平形態により当該ヘッドレストサポートの一本脚機構を可能とし、またこの単独形式になったホルダー手段の扁平形態により当該ヘッ  ドレストサポートの回転防止を可能としたことを特徴とする一本脚形式のヘッドレスト構造である。
【０００７】
請求項２の発明は、請求項１と同じ効果を発揮し、かつヘッドレストサポートの引抜き防止を図り、ヘッドレストサポートの置忘れ回避と、このヘッドレストサポートの悪事への使用防止を図ること、等を意図する。
【０００８】
請求項２は、シートバックのフレームに固定した単独形式になった扁平筒状のホルダー手段と、このホルダー手段に設けたサポートと、このサポートに設けたヘッドレストステーと、このヘッ  ドレストステーの位置決定及び固定状態を確保する前記サポートに設けたストッパーと、このストッパーを操作する前記シートバックのヘッドレスト内に貫設した操作杆と、前記ヘッドレストステーの抜け防止を図るシートの上面に設けた抜け防止用ストッパーとで構成される一本脚形式のヘッドレスト構造であって、
この単独形式になったホルダー手段の扁平形態により当該ヘッドレストサポートの一本脚機構を可能とし、またこの単独形式になったホルダー手段の扁平形態により当該ヘッ  ドレストサポートの回転防止を可能としたことを特徴とする一本脚形式のヘッドレスト構造である。
【０００９】
請求項３の発明は、請求項１と同じ効果を発揮し、かつヘッドレスト構造に最適なホル  ダー手段を提供すること、等を意図する。
【００１０】
請求項３は、請求項１又は請求項２に記載の単独形式になった扁平筒状のホルダー手段は、プレス成形品であり、平板本体の両端をリング形状に折り曲げて筒部を形成し、この筒部の間に平板部を形成し、前記筒部にヘッドレストステー挿入用のサポートを、それぞれ挿入する構成とした一本脚形式のヘッドレスト構造である。
【００１１】
請求項４の発明は、請求項１と同じ効果を発揮し、かつヘッドレスト構造をワンタッチでコントロールできる他のホルダー手段を提供すること、等を意図する。
【００１２】
請求項４は、請求項１又は請求項２に記載の単独形式になった扁平筒状のホルダー手段は、シートの上方に突出する構成とし、このホルダー手段に設けたストッパーを進退自在に設け、またこのストッパーをシートの上面に添接するように設ける構成とした一本脚形式のヘッドレスト構造である。
【００１３】
請求項５の発明は、請求項１と同じ効果を発揮し、かつヘッドレスト構造に最適で、強固な筒状を備えたホルダー手段を提供すること、等を意図する。
【００１４】
請求項５は、請求項３に記載の単独形式になった扁平筒状のホルダー手段は、プレス成形品であり、平板本体の両端をリング形状に折り曲げて筒部を形成し、この筒部の間に平板部を形成し、前記筒部にヘッドレストステー挿入用のサポートを、それぞれ挿入する構成であって、
この平板部に設けた孔に、筒部の挿入端部を挿入し、この挿入箇所をプレス加工でコーキングする構成とした一本脚形式のヘッドレスト構造である。
【００１５】
請求項６の発明は、請求項１と同じ効果を発揮し、かつヘッドレスト構造に最適で、強固なホルダー手段を提供すること、等を意図する。
【００１６】
請求項６は、請求項３に記載の単独形式になった扁平筒状のホルダー手段は、プレス成形品であり、平板本体の両端をリング形状に折り曲げて筒部を形成し、この筒部の間に平板部を形成し、前記筒部にヘッドレストステー挿入用のサポートを、それぞれ挿入する構成であって、
この平板部に補強用の打出し部を設ける構成とした一本脚形式のヘッドレスト構造である。
【００１７】
【発明の実施の形態】
以下、本発明の一実施例を、図面を参照して説明する。
【００１８】
図１はシートとヘッドレスト構造との関係の一例を説明した全体の縮尺斜視図、図２はヘッドレストサポートとストッパー（ロック機構）との関係の一例を示した正面図、図３は図２の断面図、また図４はシートの上方にヘッドレスト構造を設けた一例を示す正面模式図、図５は図４の要部の拡大図、図６は図４の他の例を示す正面模式図、図７は図６の使用状態を説明する正面模式図、図８は図７のＡ−Ａ線の断面であり、操作杆とヘッドレストステーとの関係を示した拡大断面図、図９は図４のさらに他の例を示す正面模式図、図１０は位置決め用ストッパー、又は抜け防止用ストッパーの要部を示す図、（イ）は後方に規制板を設けた例を、（ロ）は規制板を摺動板の爪に係止した例を示す。また図１１はシートの上方にヘッドレスト構造を設けた一例を示す正面模式図、図１２はサポートとホルダー手段との一例を示す拡大正面図、図１３は図１２のホルダー手段を示しており、（イ）は平面図、（ロ）は正面図、（ハ）は（イ）のＡ−Ａ断面図、図１４はサポートとホルダー手段との他の一例を示す拡大正面図、図１５は図１４のホルダー手段を示しており、（イ）は平面図、（ロ）は正面図、（ハ）は（イ）のＡ−Ａ断面図、図１６はサポートとホルダー手段とのさらに他の一例を示す拡大正面図、図１７は図１６のホルダー手段を示しており、（イ）は平面図、（ロ）は正面図、（ハ）は（イ）のＡ−Ａ断面図、（ニ）はホルダー手段の筒部の拡大平面図、図１８はサポートとホルダー手段との別の一例を示す拡大正面図、図１９は図１８のホルダー手段を示しており、（イ）は平面図、（ロ）は正面図、（ハ）は（イ）のＡ−Ａ断面図である。
【００１９】
図１〜図５の例を説明すると、シートバックＡのフレームＡ−１には、扁平筒状のホルダー手段１を設ける。このホルダー手段１のシートバックＡよりの突出部は、シートバックＡの上面に設けた支持体２により包囲されている。そして、このホルダー手段１は、図１２〜図１９に示した一例がある。図１２、図１３の例は、金属製品の板材（平板１０１−１）に、金属製ブラケット１００−１のホルダー手段を溶接、かしめ、嵌合等の手段で設けた構成であり、本出願人がプレス成形加工で量産する金属製ブラケットを使用する（特願２０００−３５８７６１）。この例では、ピッチ寸法が正確であり、また量産品が使用できるので、コスト、設備費、又は人件費等の低減化と、材料の有効利用、等が図れること、また本出願人が樹脂成形加工で量産するヘッドレストサポートを使用する（特願２０００−５６５７６０）ことも可能となり、大変重宝すること、等の実益がある。さらに溶接の確実性が可能となる。尚、ブラケット１００−１の端部１００−１ａを凹凸として、この凹凸を嵌合する構成を採用し、かつ凹凸近傍をプレス加工でコーキング（図示せず）する。この構成により、ロボット加工で、効率的に成形できること、強度の向上と、等を図る。またフレームＡ−１に溶接際に発生するブラケット１００−１の変形防止（歪み防止）を図り、又は寸法の確保を図り、後述するサポートのスムーズな挿入を図る。また図１４、図１５の例は、金属製品のプレス成形品であり（以下同じ）、平板（図示せず）の両端をリング形状に折り曲げて筒部１００、１００（以下、１００とする）を形成し、この筒部１００の間に平板部１０１を形成する。その望ましい構成は、この平板部１０１にプレス成形を利用し、孔１０２を設け、続いて、この孔１０２に筒部１００の挿入端部１００ａを挿入する。この作業を一連のプレス加工で行う。そして、この挿入箇所をプレス加工でコーキング１０３する。この構成により、ロボット加工で、効率的に成形できること、強度の向上と、等を図る。またフレームＡ−１に溶接際に発生する筒部１００の変形防止（歪み防止）を図り、又は寸法の確保を図り、後述するサポートのスムーズな挿入を図る。さらに図１６、図１７の例は、平板部１０１にプレス形成を利用して打出し部１０１ａを設け、補強等を意図する。またこの例は、筒部１００の形態を変更し、平板本体の両端に折曲げ片１００ｂを対で設け、この折曲げ片１００ｂに筒体１００ｃを圧入する形態であり、強度の向上と、径の小型化、材料の肉薄化、又はヘッドレストのブレ防止等を意図する。尚、筒体１００ｃは、プレス成形で、接合端部を凹凸形状に形成して、この凹凸形状の嵌合せと、嵌合部のコーキング（図示せず）をする。次に図１８、図１９の例は、筒部１００の端部１００ａを延設し、平板部１０１に重畳する形態であり、さらなる強度の向上と、径の小型化、材料の肉薄化、又はヘッドレストの  ブレ防止等を意図する。そして、重畳の継ぎ目をかしめ１００ｄで補強、又は一体化を図る。尚、このホルダー手段１は、前述の例に限定されず、板材に筒体を溶接する例、また樹脂製品、複合材料性製品等の構成も可能である。尚、コーキングの効果は、ホルダー手段１の寸法の正確性（溶接時の伸縮���対応できる）と、嵌合部の変形防止（形状確保と、強度の向上）等に有効である。
【００２０】
そして、このホルダー手段１には、位置決め用ストッパー３を備えたサポート４が挿入される。このサポート４にはヘッドレストステー５が挿入される貫通孔４００を有する。またサポート４には、筒部１００との確実な嵌合及び固定と、ヘッドレストステー５に対する規制を図るために、その側面４０１に可撓片４０２を有する。即ち、この可撓片４０２を、ヘッドレストステー５で拡開することで、サポート４と筒部１００との一体化を達成すること、又は接着材、構造変更することなく一体化が図れる。この例では、ヘッドレストステー５は、ヘッドレスト６の形状（略倒Ｕ字形）に合わせた略倒Ｕ字形の外郭形状部５０１と、サポート４に挿入される並列線部５０２、５０２とで構成されている。この形状により、サポート４の形状と本数、またヘッ  ドレスト６の形状と、ヘッドレスト６としての機能を確保する。
【００２１】
また位置決め用ストッパー３は、ヘッドレストステー５の位置決め用凹部５０３に係止される。その構成は、位置決め用係止爪３００と、位置決め用係止爪３００の復帰を司る位置決め用スプリング３０１とで構成されており、押圧に位置決め用凹部５０３からの離脱による移動とロック解除を図り、またスプリング３０１により戻り、その位置における係止と、ロックとを図る構成である。尚、位置決め用ストッパー３に、抜け防止用ストッパー３ａを付加することも可能であり、例えば、位置決め用ストッパー３は、ヘッドレストステー５の位置決め用凹部５０３に係止される。その構成は、位置決め用係止爪３００と、抜け防止用係止爪３００ａの復帰を司る抜け防止用スプリング３０１ａとで構成されており、押圧に位置決め用凹部５０３からの離脱による移動とロック解除を図り、またスプリング３０１により戻り、その位置における係止と、ロックとを図る構成である。そして、この位置決め用ストッパー３は、サポート４の上方に設けることが可能であり、その構造は、前述の例と同じである。但し、位置決め用ストッパー３は、ヘッドレスト６の前後方向（車輌の走行方向）とすることが操作上で好ましい。
【００２２】
図１、図２、及び図６〜図８の例を説明すると、この例は、前述の図４、図５と基本的な構造は同じである。本例の特徴は、シートバックＡに設けた支持体２にホルダー手段１を設け、このホルダー手段１に挿入、嵌合等を介してサポート４を設ける。そして、このサポート４の上方に設けた位置決め用ストッパー３を、別の操作杆７を利用して制御する構成である。この操作杆７は、本体部７００がヘッドレスト６の一方端部６００を貫設しており、この貫設した本体部７００の端部を押え杆７０１とする。従って、操作杆７は、側面視すると略Ｔ字形を呈する。この押え杆７０１の操作で位置決め用ストッパー３を作動する。即ち、操作杆７を押圧すると、ヘッドレスト６の一面側が窪み６０１、これと同時に本体部７００及び押え杆７０１が内方に移動して、位置決め用ストッパー３を押圧する。この押圧による作用は、前述の通りである。また前記押圧を開放すると、ヘッドレスト６の回復及び／又は位置決め用スプリング３０１の反撥力で復帰する。この復帰による作用は、前述の通りである。尚、押え杆７０１の両端部を鉤手７０２として、位置決め用ストッパー３の外れ防止を図ることが望ましい。また図示しないが、抜け防止用ストッパー３ａを付設することも可能である。
【００２３】
尚、この例では、操作杆７がヘッドレストステー５を貫通するように設けられており、当該操作杆７が確実に前進後退し（動く）、またヘッドレスト６と同時に昇降する（動くこと）構成となっている。その一例を、図８の（イ）〜（ニ）を基に説明する。（イ）はヘッドレストステー５の孔５０６に金属又は樹脂製でなるスリーブ５０７を挿入し、このスリーブ５０７に操作杆７を設けた例である。（ロ）はヘッドレストステー５の孔５０６に操作杆７を設けた例である。（ハ）はヘッドレストステー５の周辺の何れか一方に添接するように（ヘッドレスト６の部材に埋設するように「成形時」）操作杆７を設けた例である。（ニ）はヘッドレストステー５の孔５０６に樹脂製のスリーブ５０７を挿入し、このスリーブ５０７に操作杆７を設けた例である。このスリーブ５０７には、一方に弾性を有する爪片を有する。この爪片が萎んで孔５０６を通過後に、孔５０６の端に係止される。
【００２４】
図１、図２、及び図９〜図１０の例を説明すると、シートバックＡを窪ませ、この窪みＡ−２にヘッドレスト６を装置した一例である。即ち、シートバックＡの窪みＡ−２に設けた支持体２にホルダー手段１を設け、このホルダー手段１に、サポート４を挿入、嵌合等により設ける。そして、このサポート４に設けた位置決め用ストッパー３を、操作杆７を利用して操作する構成である。従って、この例は、このサポート４の窪みＡ−２の上面（支持体２の基部）に設けた抜け防止用ストッパー３ａとの組合せである。この位置決め用ストッパー３、抜け防止用ストッパー３ａの構造は前述の例に準ずる。尚、この抜け防止用ストッパー３ａは、支持体２に設けた支持片２００を利用して架承する。この例では、押え杆７０１は一方折曲げ片であり、また押え釦７０３を有する（他の例も可能）。図中８はサポート４用の補強部材を示しており、線部５０２の連結側基端を補強し、またこの線部５０２の拡開、折れ等を回避して、ヘッドレスト６の形状維持と、衝突時に確実に頭部を保護することを意図する。
【００２５】
尚、図１０（イ）、（ロ）では、抜け防止用ストッパー３ａ（位置決め用ストッパー３）及び／又は抜け防止用ストッパー３０１ａ（位置決め用ストッパー３０１）を、支持片２００（平板１０１−１よりの立上片）により係止する。この立上片は、打抜きとプレス加工により行う。また（ロ）は、抜け防止用ストッパー３ａ等の爪片を支持片２００の一部に係止する例を示す。
【００２６】
図１、図２、及び図１１の例を説明すると、シートバックＡの内に、ヘッドレスト構造を設けた一例であり、フレームＡ−１にホルダー手段１の筒部１００（又はホルダー手段１）を適宜間隔で溶接、嵌合、挾持等により固定する。この筒部１００等（筒部１００とする）にサポート４をそれぞれ挿入する。そして、このサポート４にはヘッドレストステー５が挿入される。尚、位置決め用ストッパー３、抜け防止用ストッパー３ａの構造は前述の例に準ずる。この例では、位置決め用ストッパー３は、シートバックＡの上面に設けられる。そして、この例では、ヘッ  ドレストステー５は線部５０２と、方形状の外郭形状部５０１との構成であり、この線部５０２は安全性、美観、破損による人体への被害回避等を意図して、樹脂、金属、スプリン  グ等でなる可動性のカバー５０５が設けられている。図中５０４は抜け防止用凹部を示す。他の構成は前述の例に準ずる。
【００２７】
尚、前述した図４、図５は、図１１と異なりＬ寸法を小さくする構成である。その特徴は、衝撃に対するモーメント（Ｍ＝ＷＬ）を有利性がある。例えば、フレームＡ−１の強度が強くなる特徴があって、人の首、頭等を確実に保護する。またもし同じモーメントを確保すると仮定すると、ヘッドレストステー５、フレームＡ−１の太さを細くできること、またヘッドレスト構造の小型化、軽量化、等に寄与できること、等の特徴がある。
【００２８】
【発明の効果】
請求項１の発明は、シートバックのフレームに固定した単独形式になった扁平筒状のホルダー手段と、ホルダー手段に設けたサポートと、サポートに設けたヘッドレストステーと、ヘッドレストステーの位置決定及び固定状態を確保するサポートに設けたストッパーとで構成される一本脚形式のヘッドレスト構造であって、単独形式になったホルダー手段の扁平形態によりヘッドレストサポートの一本脚機構を可能とし、また単独形式になったホルダー手段の扁平形態によりヘッドレストサポートの回転防止を可能としたことを特徴とする一本脚形式のヘッドレスト構造である。
【００２９】
従って、後方及び／又は前方の容易な確認を確保できること、又は安全な走行、斬新なヘッドレストサポートの要望等を達成できるヘッドレスト構造を提供できること、等の特徴がある。また衝撃で回転する虞がなく、確実な装着と、強度的に十分な構成のヘッドレスト構造を提供できる。
【００３０】
請求項２の発明は、シートバックのフレームに固定した単独形式になった扁平筒状のホルダー手段と、ホルダー手段に設けたサポートと、サポートに設けたヘッドレストステーと、ヘッドレストステーの位置決定及び固定状態を確保するサポートに設けたストッパーと、ストッパーを操作するシートバックのヘッドレスト内に貫設した操作杆と、ヘッドレストステーの抜け防止を図るシートの上面に設けた抜け防止用ストッパーとで構成される一本脚形式のヘッドレスト構造であって、単独形式になったホルダー手段の扁平形態によりヘッドレストサポートの一本脚機構を可能とし、また単独形式になったホルダー手段の扁平形態によりヘッドレストサポートの回転防止を可能としたことを特徴とする一本脚形式のヘッドレスト構造である。
【００３１】
従って、請求項１と同じ効果を発揮し、かつヘッドレストサポートの引抜き防止の効果が達成できること、またヘッドレストサポートの置忘れ回避と、このヘッドレストサポートの悪事への使用防止が図れること、等の実益がある。
【００３２】
請求項３の発明は、請求項１又は請求項２に記載の単独形式になった扁平筒状のホルダー手段は、プレス成形品であり、平板本体の両端をリング形状に折り曲げて筒部を形成し、筒部の間に平板部を形成し、筒部にヘッドレストステー挿入用のサポートを、それぞれ挿入する構成とした一本脚形式のヘッドレスト構造である。
【００３３】
従って、請求項１と同じ効果を発揮し、かつヘッドレスト構造に最適なホルダー手段を提供できる。
【００３４】
請求項４の発明は、請求項１又は請求項２に記載の単独形式になった扁平筒状のホルダー手段は、シートの上方に突出する構成とし、ホルダー手段に設けたストッパーを進退自在に設け、またストッパーをシートの上面に添接するように設ける構成とした一本脚形式のヘッドレスト構造である。
【００３５】
従って、請求項１と同じ効果を発揮し、かつヘッドレスト構造をワンタッチでコントロールできる他のホルダー手段を提供できる。
【００３６】
請求項５の発明は、請求項３に記載の単独形式になった扁平筒状のホルダー手段は、プレス成形品であり、平板本体の両端をリング形状に折り曲げて筒部を形成し、筒部の間に平板部を形成し、筒部にヘッドレストステー挿入用のサポートを、それぞれ挿入する構成であって、平板部に設けた孔に、筒部の挿入端部を挿入し、挿入箇所をプレス加工でコーキングする構成とした一本脚形式のヘッドレスト構造である。
【００３７】
従って、請求項１と同じ効果を発揮し、かつヘッドレスト構造に最適で、強固な筒状を備えたホルダー手段を提供できる。
【００３８】
請求項６の発明は、請求項３に記載の単独形式になった扁平筒状のホルダー手段は、プレス成形品であり、平板本体の両端をリング形状に折り曲げて筒部を形成し、筒部の間に平板部を形成し、筒部にヘッドレストステー挿入用のサポートを、それぞれ挿入する構成であって、平板部に補強用の打出し部を設ける構成とした一本脚形式のヘッドレスト構造である。
【００３９】
従って、請求項１と同じ効果を発揮し、かつヘッドレスト構造に最適で、強固なホルダー手段を提供できる。
【図面の簡単な説明】
【図１】シートとヘッドレスト構造との関係の一例を説明した全体の縮尺斜視図
【図２】ヘッドレストサポートとストッパー（ロック機構）との関係の一例を示した拡大正面図
【図３】図２の断面図
【図４】シートの上方にヘッドレスト構造を設けた一例を示す一部欠截の正面模式図
【図５】図４の要部の拡大図
【図６】図４の他の例を示す正面模式図
【図７】図６の使用状態を説明する正面模式図
【図８】（イ）〜（ニ）は図７のＡ−Ａ線の断面であり、操作杆とヘッドレストステーとの関係を示した拡大断面図
【図９】図４のさらに他の例を示す正面模式図
【図１０】図９の位置決め用ストッパー、又は抜け防止用ストッパーの要部を示す図、（イ）は後方に規制板を設けた例を、（ロ）は規制板を摺動板の爪に係止した例を示す
【図１１】シートの上方にヘッドレスト構造を設けた一例を示す正面模式図
【図１２】サポートとホルダー手段との一例を示す拡大正面図
【図１３】図１２のホルダー手段を示しており、（イ）は平面図、（ロ）は正面図、（ハ）は（イ）のＡ−Ａ断面図
【図１４】サポートとホルダー手段との他の一例を示す拡大正面図
【図１５】図１４のホルダー手段を示しており、（イ）は平面図、（ロ）は正面図、（ハ）は（イ）のＡ−Ａ断面図
【図１６】サポートとホルダー手段とのさらに他の一例を示す拡大正面図
【図１７】図１６のホルダー手段を示しており、（イ）は平面図、（ロ）は正面図、（ハ）は（イ）のＡ−Ａ断面図、（ニ）はホルダー手段の筒部の拡大平面図
【図１８】サポートとホルダー手段との別の他の一例を示す拡大正面図
【図１９】図１８のホルダー手段を示しており、（イ）は平面図、（ロ）は正面図、（ハ）は（イ）のＡ−Ａ断面図
【符号の説明】
Ａ        シートバック
Ａ−１        フレーム
Ａ−２        窪み
１        ホルダー手段
１００      筒部
１００−１    ブラケット
１００−１ａ    端部
１００ａ      端部
１００ｂ      折曲げ片
１００ｃ      筒体
１００ｄ      かしめ
１０１      平板部
１０１−１    平板
１０１ａ      打出し部
１０２      孔
１０３      コーキング
２        支持体
２００      支持片
３          位置決め用ストッパー
３ａ        抜け防止用ストッパー
３００      位置決め用係止爪
３００ａ      抜け防止用係止爪
３０１      位置決め用スプリング
３０１ａ      抜け防止用スプリング
４        サポート
４００      貫通孔
４０１      側面
４０２      可撓片
５        ヘッドレストステー
５０１      外郭形状部
５０２      線部
５０３      位置決め用凹部
５０４      抜け防止用凹部
５０５      カバー
５０６      孔
５０７      スリーブ
６        ヘッドレスト
６００      一方端部
６０１      窪み
７        操作杆
７００      本体部
７０１      押え杆
７０２      鉤手
７０３      押え釦
８        補強部材
【図１】
2004261325.tif 000003
【図２】
2004261325.tif 000004
【図３】
2004261325.tif 000005
【図４】
2004261325.tif 000006
【図５】
2004261325.tif 000007
【図６】
2004261325.tif 000008
【図７】
2004261325.tif 000009
【図８】
2004261325.tif 000010
【図９】
2004261325.tif 000011
【図１０】
2004261325.tif 000012
【図１１】
2004261325.tif 000013
【図１２】
2004261325.tif 000014
【図１３】
2004261325.tif 000015
【図１４】
2004261325.tif 000016
【図１５】
2004261325.tif 000017
【図１６】
2004261325.tif 000018
【図１７】
2004261325.tif 000019
【図１８】
2004261325.tif 000020
【図１９】
2004261325.tif 000021